(57)【要約】【課題】  従来と同様の使用方法で用いられて体温を検温するとともに、検温した体温データの有効活用が図られるようにする。【解決手段】  体温を検温する検温部３と、この検温部３から出力された体温値データに所定の処理を施すとともに各部に対して制御信号を出力する制御部１０と、体温値データに基づく制御部１０からの出力により体温値を表示する液晶表示器６と、制御部１０により制御される無線送受信モジュール１４を内蔵し、検温部３で検温した体温値を液晶表示器６によって表示するとともに、無線送受信モジュール１４を介して無線によりパーソナルコンピュータ２０に送信し、このパーソナルコンピュータ２０において異常判定等の判断やデータベース化等のデータ処理が行われるようにする。【選択図】  図２
2006234451.tif 000002
【特許請求の範囲】
【請求項１】
体温を検温する検温部と、この検温部から出力された体温値データに所定の処理を施すとともに各部に対して制御信号を出力する制御部と、液晶表示器と、無線送受信モジュールとを備え、
前記検温部で検温した前記体温値データに基づく前記制御部からの出力によって前記液晶表示器で検温値の表示を行うとともに、前記無線送受信モジュールを介して前記体温値データを無線によりパーソナルコンピュータに送信することを特徴とする電子体温計。
【請求項２】
前記無線送受信モジュールが、ブルートゥース無線方式に基づく近距離無線送受信モジュールであることを特徴とする請求項１に記載の電子体温計。
【請求項３】
前記体温値データを記憶する内部メモリを備えることを特徴とする請求項１又は請求項２に記載の電子体温計。
【請求項４】
前記無線送受信モジュールを介して無線接続された前記パーソナルコンピュータからの指示に基づいて、前記内部メモリに記憶した前記体温値データを読み出して前記無線送受信モジュールを介して送信することを特徴とする請求項３に記載の電子体温計。
【請求項５】
前記パーソナルコンピュータにおいて実行されて無線出力される前記体温値データの判定結果情報を前記無線送受信モジュールによって受信し、前記制御部を介して前記液晶表示器により表示することを特徴とする請求項４に記載の電子体温計。
【発明の詳細な説明】
【技術分野】
【０００１】
本発明は、無線送受信機能を内蔵した電子体温計に関する。
【背景技術】
【０００２】
体温計は、手軽に何処へでも持ち運びして身体の異常発生や状態変化を把握するための重要な基礎指標である体温を簡易な操作により検温することが可能な治具である。体温計としては、従来水銀体温計が用いられていたが、最近では電子体温計が用いられるようになっている。電子体温計は、一般に先端部位のプローブに温度センサを内蔵し、この温度センサで感知した患者等の体温を液晶表示器によってデジタル表示する。電子体温計は、水銀体温計と同様に、比較的体温が安定している箇所である脇の下や口肛内等にプローブをあてがって患者の体温を検温する。電子体温計は、取り扱いが簡便であること、短時間での検温が可能であること、大型で見易い表示が可能であること等の特徴を有している。（例えば特許文献１参照）
【０００３】
なお、電子体温計については、脳の体温調節をつかさどる視床下部に近い耳孔内の温度を検温する耳式体温計も提供されている。耳式体温計は、耳内の鼓膜から放射される赤外線をプローブ内に設けたセンサでとらえて検温することから、約１秒程度で検温操作が可能である。
【０００４】
【特許文献１】特開２００４−２６４２９７
【発明の開示】
【発明が解決しようとする課題】
【０００５】
ところで、健康管理志向の高まりにより、その基礎資料として大いに役立つ体温等の継続的管理もパーソナルユースのレベルにおいて実行されている。体温は、例えば個人差、検温箇所、検温時間或いは検温方法等によってバラツキがあるために、同一条件によって継続的に検温を行い、平均値データを把握することが必須となる。
【０００６】
電子体温計は、体温検温用の治具として水銀体温計とともに用いられているが、従来では体温を一時的に検温するためだけの治具であり、液晶表示器に表示された検温に基づく検温値によって体温を確認した後にリセット操作が行われていた。したがって、電子体温計は、体温の継続管理が行われる場合に、液晶表示器に表示された数字が読み取られて集計表等に書き込むための治具として用いられていた。
【０００７】
なお、病院等においては、各ベット毎に検温センサを設け、この検温センサにより検温した患者の検温データを有線等によってナースセンタに設置した管理コンピュータに送信するシステムも構築されている。しかしながら、かかる検温システムは、大規模な投資を必要とするとともに特定の患者のみを対象とするものであり、パーソナルユース用として手軽に持ち運びされる体温計が検温センサとして用いられるものでは無い。また、かかる検温システムは、検温データを管理コンピュータに送信する片方向送信システムであり、管理コンピュータ側からの情報を得る双方向送受信システムとして構築されていない。
【０００８】
したがって、本発明は、従来と同様の使用方法で用いられて体温を検温するとともに、検温した体温値データの集計処理が簡易化されてより有効活用が図られるようにする電子体温計を提供することを目的とする。
【課題を解決するための手段】
【０００９】
上述した目的を達成する本発明にかかる電子体温計は、体温を検温する検温部と、この検温部から出力された体温値データに所定の処理を施すとともに各部に対して制御信号を出力する制御部と、体温値データに基づく制御部からの出力により体温値を表示する液晶
表示器と、制御部により制御される無線送受信モジュールを内蔵する。電子体温計は、検温部で検温した体温値を液晶表示器によって表示するとともに、例えばブルートゥースモジュール等の無線送受信モジュールを介して無線によりパーソナルコンピュータに送信し、このパーソナルコンピュータにおいて異常判定等の判断やデータベース化等のデータ処理が行われるようにする。
【００１０】
また、電子体温計は、体温値データを記憶する内部メモリを備え、必要に応じて内部メモリからこの体温値データを呼び出して液晶表示器に表示することも可能とする。したがって、電子体温計においては、１回限りで体温を検温するばかりでなく、内部メモリに記憶した体温値データを利用することが可能とされることによって簡易な装置により有効な健康管理が実践されるようにする。
【００１１】
さらに、電子体温計は、無線送受信モジュールを介して無線接続されたパーソナルコンピュータからの指示に基づいて内部メモリに記憶した体温値データを読み出し、無線送受信モジュールを介してパーソナルコンピュータに送信する。電子体温計は、パーソナルコンピュータにおいて実行されて無線出力される体温値データの判定結果情報を無線送受信モジュールによって受信し、制御部を介して液晶表示器により表示する。したがって、電子体温計においては、従来の単なる体温検温治具としての位置付けにとどまらず、パーソナルコンピュータとの間において体温値データに基づく有効な健康管理や医療指導等を実践することも可能となる。
【発明の効果】
【００１２】
以上のように構成された本発明にかかる電子体温計によれば、従来と同様の使用態様で用いられて体温を検温して液晶表示器に検温結果を表示する小型で廉価な装置であり、使用勝手を低下させずに手軽に用いられる。電子体温計によれば、検温した体温値データをパーソナルコンピュータに送信する無線機能を有することから、単に体温を検温するにとどまらず体温値データが有効に活用されて健康管理や医療指導等を実践する情報端末装置としても機能することで多機能化、高機能化が図られる。
【発明を実施するための最良の形態】
【００１３】
以下、本発明の実施の形態について図面を参照して詳細に説明する。実施の形態として示した電子体温計１は、図１及び図２に示すようにやや扁平で細長い箱状を呈し一端側を細長く突出させて検温部３を構成したケース体２を有している。電子体温計１は、従来の電子体温計や水銀体温計と同様の外形を呈しており、検温部３を人体の脇の下や口肛内等にあてがう同等の使用方法により体温を検温する。
【００１４】
電子体温計１は、詳細を後述するようにコンピュータ等と無線接続することが可能な無線送受信機能を有しており、検温した体温値データ等の授受が行われるようにする。電子体温計１は、各個人が日頃の健康管理の指標値となる体温値データについて、簡易な操作により継続的に管理することを可能とする。電子体温計１は、病院等において、例えば診察前に待合室で行う検温結果を診察室内で事前に把握することを可能とし、また看護師の検温巡回において記録作業を不要とさせる等の機能を奏する。
【００１５】
電子体温計１は、検温部３が従来の電子体温計と同等であることから詳細な説明を省略するが、熱伝導率が大きな金属によって略キャップ状に形成されケース体２の先端に露出されて組み付けられたプローブ４と、このプローブ４と接続された温度センサ５とから構成される。電子体温計１には、ケース体２の一方主面に液晶表示器６が設けられている。電子体温計１には、ケース体２の検温部３と対向する他方側の端面部に検温ボタン７と機能切換部を構成する機能切換ボタン８とが設けられている。
【００１６】
電子体温計１には、ケース体２内に形成した図示しないスタッド等に固定されて配線基板９が組み付けられるとともに、この配線基板９上に後述する各機能の動作を制御するＣＰＵ（Central Processing Unit）１０が搭載される。また、電子体温計１には、配線基板９に、液晶ドライバ１１や内部メモリ１２或いはクロックＩＣ（Integrated Circuit）１３や無線送受信モジュール１４が搭載される。電子体温計１は、詳細を省略するが配線基板９に搭載された液晶表示器６が、ケース体２に設けた開口部から外方に臨ませられる。
【００１７】
電子体温計１には、例えば液晶表示器６の配置面と対向するケース体２の他方主面に図示しない蓋体が組み合わされており、この蓋体を開閉することによってボタン型の電池１５が着脱されるようにする。電子体温計１は、電池１５から各部に対して必要な電源が供給されるようにする。
【００１８】
電子体温計１は、液晶ドライバ１１がＣＰＵ１０によって動作制御され、液晶表示器６に所定の表示が行われるようにする。電子体温計１は、液晶表示器６が検温数値をデジタル表示するとともに、機能切換ボタン８によって設定した各機能の設定状態を表示する。電子体温計１は、内部メモリ１２が、検温操作を行った場合にＣＰＵ１０の指示に基づいて検温した体温データを記憶する。電子体温計１は、内部メモリ１２に例えばＲＡＭ（Random Access Memory）が用いられ、体温データの書き込み及び読み出しを可能とする。なお、電子体温計１は、内部メモリ１２が、一定期間の体温データを記憶するが、後述するようにパーソナルコンピュータ２０への送信を行うと自動消去されるようにすることで低容量化による小型化、低コスト化が図られている。
【００１９】
電子体温計１は、クロックＩＣ１３が例えば検温時に検温時間を計時して所定時間経過後にアラームを発信するタイマ機能や、検温を行った日時データをＣＰＵ１０に供給するカレンダ機能を有している。電子体温計１は、内部メモリ１２に体温データを記憶する際に日時データも記憶されるようにする。
【００２０】
電子体温計１は、無線送受信モジュール１４に、ブルートゥース無線方式に基づく近距離無線送受信モジュールが用いられる。ブルートゥース無線方式は、周知のように２．４ＧＨｚ周波数帯域の搬送電波を用いて１０ｍ程度の近距離間において、機器間を相互に無線接続してデータの相互授受を行うことを可能とする。ブルートゥース無線方式は、ホスト機器と複数の機器との間で無線によってパケットベースのデータ通信とリアルタイムの音声通信とを可能とする。ブルートゥース無線方式は、下りデータ伝送速度が最大で７２１Ｋｂｐｓ、上りデータ伝送速度が最大で５７．６Ｋｂｐｓ（但し２００１年仕様書Ｖｅｒ．１．１）であり、さらに６４Ｋｂｐｓの音声チャンネルが３チャンネル設けられる。ブルートゥース無線方式においては、小型で低電力消費型の機能モジュールが提供されており、ケース体２を大型化することなく配線基板９に搭載可能である。
【００２１】
電子体温計１は、ブルートゥースモジュールが一般にチップアンテナを内蔵して提供されるために、特にアンテナを不要とする。電子体温計１は、無線送受信モジュール１４とパーソナルコンピュータ２０との間でより良好な状態でデータの授受が行われるようにするために、ケース体２の主面にアンテナパターン１６を設けるようにしてもよい。
【００２２】
電子体温計１においては、検温ボタン７によって、電源のオンオフ切換と、検温動作をスタンバイ状態とするリセット動作とが行われるようにする。電子体温計１においては、電源オン状態で機能切換ボタン８を押し込み操作することによってＣＰＵ１０に対して所定の信号入力が行われ、各種の機能切換が行われる。電子体温計１は、機能切換ボタン８の押し込み操作によって、例えば時計表示機能、検温値データの送信機能或いはパーソナルコンピュータ２０からのデータ受信機能等の切換が行われる。なお、電子体温計１は、
検温ボタン７と機能切換ボタン８とを一体化し、押し込み操作を行う毎に定められた順序で機能の切換が行われるようにしてもよい。電子体温計１は、例えばカレンダ修正操作を検温ボタン７と機能切換ボタン８とを組み合わせて行うようにしてもよい。
【００２３】
電子体温計１は、無線送受信モジュール１４を介してパーソナルコンピュータ２０と無線接続されて体温データ等の授受が行われるようにする。パーソナルコンピュータ２０は、個人が所有するパーソナルコンピュータばかりでなく、例えば病院内に設置された管理用コンピュータであってもよい。パーソナルコンピュータ２０には、スロットにブルートゥースモジュールカード２１が差し込まれて、電子体温計１や他のブルートゥース無線方式の機器との無線接続が行われる。
【００２４】
パーソナルコンピュータ２０は、例えば体温値検診プログラムソフトを保有しており、電子体温計１から送信された体温値データを蓄積して平均値を算出し、この平均値と新たに送信された体温値データとを比較して検診結果を無線によって電子体温計１にフィードバックする。パーソナルコンピュータ２０は、体温値検診プログラムソフトによって、送信された体温値データから異常値の検出を行った場合に、電子体温計１に対してアラームを送信するようにしてもよい。また、パーソナルコンピュータ２０は、蓄積した体温値データに基づいて変化グラフを作図して出力することによって健康管理が行われるようにする。
【００２５】
電子体温計１は、未使用状態では各部への電源供給が行われておらず液晶表示器６にも何も表示されていない。電子体温計１は、検温ボタン７を押し込み操作すると、電源オン状態となって各部に対して電源が供給されるようにし、時計表示機能によって液晶表示器６に現在の日時が表示されるようにする。電子体温計１は、さらに検温ボタン７を押し込み操作することによって検温のスタンバイ状態となって液晶表示器６の表示が「０°」に切り替わるとともに、クロックＩＣ１３のタイマ機能が開始される。なお、電子体温計１は、時計表示機能を動作させないようにしてもよいことは勿論である。
【００２６】
電子体温計１は、検温部３が検温箇所にあてがわれ、体温がプローブ４に伝導されて温度センサ５による検温動作が行われる。電子体温計１においては、図３手順イに示すように検温部３の温度センサ５からＣＰＵ１０に対して体温値データが送られる。電子体温計１においては、この体温値データに基づいて手順ロのようにＣＰＵ１０から液晶ドライバ１１に駆動信号が出力される。電子体温計１においては、液晶ドライバ１１によって液晶表示器６が駆動され、この液晶表示器６に検温した体温値の表示が行われる。
【００２７】
電子体温計１においては、クロックＩＣ１３が所定時間を計時して検温終了のアラーム信号を出力することで、ＣＰＵ１０から液晶ドライバ１１に制御信号が出力されて液晶表示器６に現に表示されている体温値表示が保持されるようにする。電子体温計１は、液晶表示器６の体温値が読み取られて検温ボタン７が押し込み操作されると、ＣＰＵ１０からの制御信号に基づいて液晶表示器６が体温値の表示から「０°」に切り替わるリセット動作が行われる。
【００２８】
電子体温計１においては、検温終了に伴って検温ボタン７が押し込み操作されると、手順ハに示すようにＣＰＵ１０から出力される制御信号に基づいて検温値データとクロックＩＣ１３から供給される日時データとを内部メモリ１２に記憶する検温値記憶動作が行われる。電子体温計１においては、機能切換ボタン８を押し込み操作して検温値送信モードに設定して例えば検温ボタン７を利用した送信操作を行うことによって、手順ニに示すようにＣＰＵ１０から出力される検温値データ送信指示の制御信号に基づいて無線送信モジュール１４からパーソナルコンピュータ２０に対して体温値データの送信動作を行う。パーソナルコンピュータ２０は、手順ホに示すように送信された体温値データを受信して所
定のデータ処理を行う。
【００２９】
電子体温計１においては、電源オン状態で機能切換ボタン８を押し込み操作して例えば「読み出し」機能に設定して例えば検温ボタン７を利用した選択操作を行うことにより、内部メモリ１２に記憶した体温値を読み出して液晶表示器６によって確認することが可能である。電子体温計１においては、この読み出し機能により、検温した体温値を忘れてしまった場合でも再検温の操作を不要とする。また、電子体温計１においては、必要に応じて記憶した体温値データの利用が可能となり、より有効な健康管理が実践されるようにする。
【００３０】
電子体温計１においては、パーソナルコンピュータ２０の体温値検診プログラムソフトを利用して定期的に体温値検診を行うことが可能である。電子体温計１においては、無線送受信モジュール１４を利用して検診結果を液晶表示器６によって確認することが可能であり、使い勝手の向上が図られる。電子体温計１においては、図３手順ヘで示すようにパーソナルコンピュータ２０側から送信される体温値データ入手指示信号を無線送受信モジュール１４が受信する。電子体温計１においては、無線送受信モジュール１４から手順トに示すように同信号の受信通知がＣＰＵ１０に出力され、ＣＰＵ１０において手順チで示すように内部メモリ１２に対して体温値データ入手の指示信号が出力される。
【００３１】
電子体温計１においては、内部メモリ１２において蓄積データの読み出しが行われ、手順リに示すように内部メモリ１２から読み出した所定の体温値データがＣＰＵ１０へと供給される。電子体温計１においては、ＣＰＵ１０から手順ヌに示すように無線送受信モジュール１４に対して当該体温値データの送信を指示する制御信号が出力される。電子体温計１においては、手順ルに示すように無線送受信モジュール１４を介してパーソナルコンピュータ２０に体温値データの送信を行う。
【００３２】
パーソナルコンピュータ２０においては、受信した電子体温計１側からの体温値データを体温値検診プログラムソフトによって判定する。なお、パーソナルコンピュータ２０においては、図３に点線で示すように電子体温計１側から体温値データが送信される都度、同様の判定を行うようにしてもよいことは勿論である。パーソナルコンピュータ２０においては、判定結果の情報について手順オに示すように無線によって電子体温計１にフィードバックする。
【００３３】
電子体温計１においては、パーソナルコンピュータ２０から送信された判定結果情報を無線送受信モジュール１４が受信すると、この無線送受信モジュール１４から手順ワに示すように同信号の受信通知がＣＰＵ１０に出力される。電子体温計１においては、この受信通知に基づいて手順ワに示すようにＣＰＵ１０から液晶ドライバ１１に対して表示を指示する駆動信号が出力され、液晶表示器６に判定結果が表示される。電子体温計１においては、液晶表示器６に表示された判定結果によって異常状態を知ることが可能とされる。
【００３４】
電子体温計１においては、上述したように検温結果を無線送受信モジュール１４を介してパーソナルコンピュータ２０等に送信することから、体温値をメモした後にパーソナルコンピュータ２０に入力するといった操作を不要とする。電子体温計１においては、入力ミスや入力忘れを無くして正確な体温値を継続的に管理することを可能として有効な健康管理が行われるようにする。電子体温計１においては、パーソナルコンピュータ２０を介してさらにホストの管理コンピュータに体温値データが送信されるようにすることも可能である。
【００３５】
電子体温計１は、上述した図３に示す手順が一例を示すものであってかかる手順に限定されないことは勿論である。電子体温計１は、無線送受信モジュール１４と内部メモリ１
２とを内蔵することによってパーソナルコンピュータ２０等と無線を介して直接接続され、新規な検診システムを構築することが可能である。
【００３６】
電子体温計１は、無線送受信モジュール１４として、小型で汎用性の高いブルートゥース無線方式に基づく近距離無線送受信モジュールを用いたが、その他の無線方式による無線送受信モジュールであってもよいことは勿論である。
【図面の簡単な説明】
【００３７】
【図１】実施の形態として示す電子体温計と外部コンピュータとの構成説明図である。
【図２】電子体温計の構成図である。
【図３】電子体温計の使用形態のフローチャートである。
【符号の説明】
【００３８】
１        電子体温計
２        ケース体
３        検温部
４        プローブ
５        温度センサ
６        液晶表示器
７        検温ボタン
８        機能切換ボタン
９        電源アダプタ
１０      ＣＰＵ
１１      液晶ドライバ
１２      内部メモリ
１３      クロックＩＣ
１４      無線送受信モジュール
１５      電池
１６      アンテナパターン
２０      外部コンピュータ
２１      ブルートゥースモジュールカード
【図１】
2006234451.tif 000003
【図２】
2006234451.tif 000004
【図３】
2006234451.tif 000005